【手続補正書】
【提出日】平成16年7月1日(2004.7.1)
【手続補正１】
【補正対象書類名】明細書
【補正対象項目名】特許請求の範囲
【補正方法】変更
【補正の内容】
【特許請求の範囲】
【請求項１】
発光色が互いに異なる複数の光源を備えた発光装置と、
複数の画素を有しているとともに、上記発光装置から照射される光の透過を制御する発光制御装置と、
上記発光装置および発光制御装置を制御する制御手段とを備える表示装置であって、
上記発光制御装置の各画素は、それぞれが独立駆動可能な複数のサブ画素からなり、
上記制御手段は、１つの画像を表示する表示期間を２つの分割期間に時分割するとともに、
隣り合う分割期間で、光源の発光色および／またはサブ画素の状態を互いに異ならせるように制御していることを特徴とする表示装置。
【請求項２】
上記発光制御装置は、特定の色成分のみを透過させる複数のカラーフィルタを備えていることを特徴とする請求項１記載の表示装置。
【請求項３】
上記発光装置は、主波長が１０ｎｍ以上５０ｎｍ以下の範囲内で異なる少なくとも２つの光源を備えていることを特徴とする請求項１または２記載の表示装置。
【請求項４】
隣り合う分割期間で、主波長が１０ｎｍ以上５０ｎｍ以下の範囲内で異なる少なくとも２つの光源から照射される光が、互いに異なるようになっていることを特徴とする請求項３に記載の表示装置。
【請求項５】
上記制御手段は、上記発光制御装置の各サブ画素と、少なくとも１つの光源の発光時間とを、同期させて制御するようになっていることを特徴とする請求項１〜４のいずれか１項に記載の表示装置。
【請求項６】
上記制御手段は、主波長が１０ｎｍ以上５０ｎｍ以下の範囲内で異なる少なくとも２つの光源からの光を、１種類のサブ画素に対して照射するように上記発光装置を制御していることを特徴とする請求項３、４または５記載の表示装置。
【請求項７】
１つの画素を構成するサブ画素の種類が、上記光源の発光色の種類よりも少ないことを特徴とする請求項１〜６のいずれか１項に記載の表示装置。
【請求項８】
発光色が異なる複数の光源を備えた発光装置と、
複数の画素を有しているとともに、上記発光装置から照射される光を該画素ごとに制御する発光制御装置と、
上記発光装置および発光制御装置を制御する制御手段とを備える表示装置であって、
上記発光装置は、発光色のうちの少なくとも１色が白色である、互いに異なる２種類の発光色を照射することができるとともに、
上記制御手段は、１つの画像を表示する表示期間を２つの分割期間に時分割するとともに、
上記発光装置から照射される２種類の発光色を、隣り合う分割期間で、互いに異ならせるように制御していることを特徴とする表示装置。
【請求項９】
発光色が異なる複数の光源を備えた発光装置と、
複数の画素を有しているとともに、上記発光装置から照射される光を該画素ごとに制御する発光制御装置と、
上記発光装置および発光制御装置を制御する制御手段とを備える表示装置であって、
上記発光装置は、互いに補色の関係を満たす２種類の発光色を照射することができるとともに、
上記制御手段は、１つの画像を表示する表示期間を２つの分割期間に時分割するとともに、
上記発光装置から照射される２種類の発光色を、隣り合う分割期間で、互いに異ならせるように制御していることを特徴とする表示装置。
【請求項１０】
上記発光装置は、赤色、緑色および青色のいずれか一色の発光色を発する光源を含むことを特徴とする請求項１〜９のいずれか１項に記載の表示装置。
【請求項１１】
請求項１〜１０のいずれか１項に記載の表示装置に用いられていることを特徴とする発光装置。
【請求項１２】
発光色が異なる複数の光源を備えた発光装置と、複数のサブ画素から１つの画素を構成しており、かつ、上記発光装置からの光の透過を制御する発光制御装置とを、同期させて制御することにより、画像を表示させる表示方法であって、
１つの画像を表示する表示期間を２つの分割期間に時分割し、隣り合う分割期間で、光源の発光色および／またはサブ画素の状態とを異ならせることを特徴とする表示方法。
【請求項１３】
発光色が異なる複数の光源と、
複数の画素を有し、上記光源からの光の透過を制御する発光制御装置とを備え、
上記発光制御装置の各画素は所定範囲の波長の光を主に透過させる複数のサブ画素からなり、
１画像表示期間における複数の分割期間において、上記複数の光源の発光状態を異なるように制御するとともに、上記複数の分割期間のうち最後の発光状態とその直後に表示する１画像表示期間の最初の発光状態とを同じ状態とするように制御することを特徴とする表示装置。
【請求項１４】
上記複数のサブ画素の種類が、上記複数の光源の発光色よりも少ないことを特徴とする請求項１３に記載の表示装置。
【請求項１５】
発光色が４種類の複数の光源と、
複数の画素を有し、上記光源からの光の透過を制御する発光制御装置とを備え、
上記発光制御装置の各画素は所定範囲の波長の光を主に透過させる２つのサブ画素からなり、
上記４種類の発光色のうちある２種類の発光色の光が、上記２つのサブ画素のうち１つのサブ画素を主に透過する光の波長範囲に主波長を有し、他の２種類の発光色の光が、上記１つのサブ画素と異なる他のサブ画素を主に透過する範囲に主波長を有するものであって、
１画像表示期間を２つの分割期間に分割し、上記４種類の各発光色は上記２つの分割期間のうち何れか１期間に透過可能な上記サブ画素を透過するように制御することを特徴とする表示装置。
【請求項１６】
上記他の２光源は、各光源の主波長の差が１０ｎｍ以上５０ｎｍ以下の範囲内にあることを特徴とする請求項１５に記載の表示装置。
【請求項１７】
上記ある２種類の発光色の光は、互いに異なる分割期間に光源から発せられることを特徴とする請求項１５又は１６に記載の表示装置。
【請求項１８】
上記他の２種類の発光色の光は、互いに異なる分割期間に光源から発せられることを特徴とする請求項１７に記載の表示装置。
【請求項１９】
発光色が異なる複数の光源と、
複数の画素を有し、上記光源からの光の透過を制御する発光制御装置とを備え、
上記光源のうちの少なくとも１つの光源の発光色が白色であり、
１画面表示期間における複数の分割期間のうち、１の分割期間に白色を発光させ、他の分割期間は白色以外を発光させるように制御することを特徴とする表示装置。
【請求項２０】
発光色が異なる複数の光源と、
複数の画素を有し、上記光源からの光の透過を制御する発光制御装置とを備え、
上記複数の光源は互いに補色の関係にある光を発光することが可能であって、
１画面表示期間における複数の分割期間のうち、１の分割期間と他の分割期間に、上記複数の光源の発光状態が互いに異なるように制御し、上記補色の関係にある光を発することを特徴とする表示装置。
【請求項２１】
上記複数の分割期間は、２つの分割期間であることを特徴とする請求項１９又は２０に記載の表示装置。
【請求項２２】
画像を表示する際において、
１画像表示期間を複数の分割期間に分割し、
複数の光源の発光状態を異なるように制御するとともに、上記複数の分割期間のうち最後の上記光源の発光状態とその直後に表示する１画像表示期間の最初の上記光源の発光状態とを同じ状態とするように制御することによって上記画像を表示することを特徴とする画像表示方法。
【手続補正２】
【補正対象書類名】明細書
【補正対象項目名】００３７
【補正方法】変更
【補正の内容】
【００３７】
上記の構成によれば、時分割表示と画素分割表示との両方を行っているので、従来と比べて、解像度を低下させることがなく、液晶の駆動も通常のフィールドシーケンシャルと比較して遅く動作させることができ、かつ、装置のアライメントの必要がなく、表示色を増加させることができる。従って、従来と比べて、より多くの色再現を実現することができる。
本発明にかかる表示装置は、発光色が異なる複数の光源と、複数の画素を有し、上記光源からの光の透過を制御する発光制御装置とを備え、上記発光制御装置の各画素は所定範囲の波長の光を主に透過させる複数のサブ画素からなり、１画像表示期間における複数の分割期間において、上記複数の光源の発光状態を異なるように制御するとともに、上記複数の分割期間のうち最後の発光状態とその直後に表示する１画像表示期間の最初の発光状態とを同じ状態とするように制御することを特徴としている。
上記の構成によれば、発光制御手段の駆動条件を緩和することができ、応答速度が遅い発光制御手段でも色再現性を高めることができ、消費電力も抑えることができる。
本発明にかかる表示装置は、上記複数のサブ画素の種類が、上記複数の光源の発光色よりも少ないことを特徴とすることがより好ましい。
上記の構成によれば、サブ画素の種類を、光源の発光色の種類よりも少なくすることにより、従来の光源の発光色の種類と１つの画素を構成しているサブ画素の種類とを同じにする構成と比べて、サブ画素のサイズを比較的大きくすることができる。これにより、発光制御装置の構成を従来と比べて簡単にすることができる。
本発明にかかる表示装置は、発光色が４種類の複数の光源と、複数の画素を有し、上記光源からの光の透過を制御する発光制御装置とを備え、上記発光制御装置の各画素は所定範囲の波長の光を主に透過させる２つのサブ画素からなり、上記４種類の発光色のうちある２種類の発光色の光が、上記２つのサブ画素のうち１つのサブ画素を主に透過する光の波長範囲に主波長を有し、他の２種類の発光色の光が、上記１つのサブ画素と異なる他のサブ画素を主に透過する範囲に主波長を有するものであって、１画像表示期間を２つの分割期間に分割し、上記４種類の各発光色は上記２つの分割期間のうち何れか１期間に透過可能な上記サブ画素を透過するように制御することを特徴としている。
上記の構成によれば、発光制御装置の各画素が２種類のサブ画素で構成されることにより、高解像度な４原色表示が容易に得ることが可能となる。
本発明にかかる表示装置は、上記他の２光源は、各光源の主波長の差が１０ｎｍ以上５０ｎｍ以下の範囲内にあることが好ましい。
上記の構成とすることにより、良質な色表現を行うことができる。
本発明にかかる表示装置は、上記ある２種類の発光色の光は、互いに異なる分割期間に光源から発せられることが好ましい。
また、上記他の２種類の発光色の光は、互いに異なる分割期間に光源から発せられることが好ましい。
上記の構成とすることにより、より高解像度な４原色表示が容易に得ることが可能となる。
本発明にかかる表示装置は、発光色が異なる複数の光源と、複数の画素を有し、上記光源からの光の透過を制御する発光制御装置とを備え、上記光源のうちの少なくとも１つの光源の発光色が白色であり、１画面表示期間における複数の分割期間のうち、１の分割期間に白色を発光させ、他の分割期間は白色以外を発光させるように制御することを特徴としている。
上記の構成とすることにより、白黒の画像にもう１色付加することができ、文字や印といったものを表示することができる。
本発明にかかる表示装置は、発光色が異なる複数の光源と、複数の画素を有し、上記光源からの光の透過を制御する発光制御装置とを備え、上記複数の光源は互いに補色の関係にある光を発光することが可能であって、１画面表示期間における複数の分割期間のうち、１の分割期間と他の分割期間に、上記複数の光源の発光状態が互いに異なるように制御し、上記補色の関係にある光を発することを特徴としている。
上記の構成によれば、互いに補色の関係である２種類の発光色を備えているので、白と２種類の発光色との合計３色の表示が可能である。
本発明にかかる表示装置は、上記複数の分割期間は、２つの分割期間であることが好ましい。
上記構成によれば、分割期間が２つであるので、発光制御手段の駆動条件を緩和することができ、応答速度が遅い発光制御手段でも表示可能となる。
本発明にかかる表示装置は、画像を表示する際において、１画像表示期間を複数の分割期間に分割し、複数の光源の発光状態を異なるように制御するとともに、上記複数の分割期間のうち最後の上記光源の発光状態とその直後に表示する１画像表示期間の最初の上記光源の発光状態とを同じ状態とするように制御することによって上記画像を表示することを特徴としている。
上記の構成によれば、発光制御手段の駆動条件を緩和することができ、応答速度が遅い発光制御手段でも色再現性を高めることができ、消費電力も抑えることができる。
【手続補正３】
【補正対象書類名】明細書
【補正対象項目名】０１２８
【補正方法】変更
【補正の内容】
【０１２８】
上記の構成によれば、時分割表示と画素分割表示との両方を行っているので、従来と比べて、解像度を低下させることがなく、液晶の駆動も通常のフィールドシーケンシャルと比較して遅く動作させることができ、かつ、装置のアライメントの必要がなく、表示色を増加させることができる。従って、従来と比べて、より多くの色再現を実現することができるという効果を奏する。
本発明にかかる表示装置は、以上のように、発光色が異なる複数の光源と、複数の画素を有し、上記光源からの光の透過を制御する発光制御装置とを備え、上記発光制御装置の各画素は所定範囲の波長の光を主に透過させる複数のサブ画素からなり、１画像表示期間における複数の分割期間において、上記複数の光源の発光状態を異なるように制御するとともに、上記複数の分割期間のうち最後の発光状態とその直後に表示する１画像表示期間の最初の発光状態とを同じ状態とするように制御する構成である。
上記の構成によれば、発光制御手段の駆動条件を緩和することができ、応答速度が遅い発光制御手段でも色再現性を高めることができ、消費電力も抑えることができる。
本発明にかかる表示装置は、上記複数のサブ画素の種類が、上記複数の光源の発光色よりも少ないことを特徴とすることがより好ましい。
上記の構成によれば、サブ画素の種類を、光源の発光色の種類よりも少なくすることにより、従来の光源の発光色の種類と１つの画素を構成しているサブ画素の種類とを同じにする構成と比べて、サブ画素のサイズを比較的大きくすることができる。これにより、発光制御装置の構成を従来と比べて簡単にすることができる。
本発明にかかる表示装置は、以上のように、発光色が４種類の複数の光源と、複数の画素を有し、上記光源からの光の透過を制御する発光制御装置とを備え、上記発光制御装置の各画素は所定範囲の波長の光を主に透過させる２つのサブ画素からなり、上記４種類の発光色のうちある２種類の発光色の光が、上記２つのサブ画素のうち１つのサブ画素を主に透過する光の波長範囲に主波長を有し、他の２種類の発光色の光が、上記１つのサブ画素と異なる他のサブ画素を主に透過する範囲に主波長を有するものであって、１画像表示期間を２つの分割期間に分割し、上記４種類の各発光色は上記２つの分割期間のうち何れか１期間に透過可能な上記サブ画素を透過するように制御する構成である。
上記の構成によれば、発光制御装置の各画素が２種類のサブ画素で構成されることにより、高解像度な４原色表示が容易に得ることが可能となる。
本発明にかかる表示装置は、上記他の２光源は、各光源の主波長の差が１０ｎｍ以上５０ｎｍ以下の範囲内にあることが好ましい。
上記の構成とすることにより、良質な色表現を行うことができる。
本発明にかかる表示装置は、上記ある２種類の発光色の光は、互いに異なる分割期間に光源から発せられることが好ましい。
また、上記他の２種類の発光色の光は、互いに異なる分割期間に光源から発せられることが好ましい。
上記の構成とすることにより、より高解像度な４原色表示が容易に得ることが可能となる。
本発明にかかる表示装置は、以上のように、発光色が異なる複数の光源と、複数の画素を有し、上記光源からの光の透過を制御する発光制御装置とを備え、上記光源のうちの少なくとも１つの光源の発光色が白色であり、１画面表示期間における複数の分割期間のうち、１の分割期間に白色を発光させ、他の分割期間は白色以外を発光させるように制御する構成である。
上記の構成とすることにより、白黒の画像にもう１色付加することができ、文字や印といったものを表示することができる。
本発明にかかる表示装置は、以上のように、発光色が異なる複数の光源と、複数の画素を有し、上記光源からの光の透過を制御する発光制御装置とを備え、上記複数の光源は互いに補色の関係にある光を発光することが可能であって、１画面表示期間における複数の分割期間のうち、１の分割期間と他の分割期間に、上記複数の光源の発光状態が互いに異なるように制御し、上記補色の関係にある光を発する構成である。
上記の構成によれば、互いに補色の関係である２種類の発光色を備えているので、白と２種類の発光色との合計３色の表示が可能である。
本発明にかかる表示装置は、上記複数の分割期間は、２つの分割期間であることが好ましい。
上記構成によれば、分割期間が２つであるので、発光制御手段の駆動条件を緩和することができ、応答速度が遅い発光制御手段でも表示可能となる。
本発明にかかる表示装置は、以上のように、画像を表示する際において、１画像表示期間を複数の分割期間に分割し、複数の光源の発光状態を異なるように制御するとともに、上記複数の分割期間のうち最後の上記光源の発光状態とその直後に表示する１画像表示期間の最初の上記光源の発光状態とを同じ状態とするように制御することによって上記画像を表示する構成である。
上記の構成によれば、発光制御手段の駆動条件を緩和することができ、応答速度が遅い発光制御手段でも色再現性を高めることができ、消費電力も抑えることができる。